(57)【特許請求の範囲】
【請求項１】
通話機能を有する電話機において、
通話等に関する各種情報を表示させる表示部を有する電話機本体と、
前記電話機本体と別体化されており、電話番号等の各種情報を入力するための入力部を有する利用者操作部と、
前記電話機本体と前記利用者操作部とを取り付ける取付部とを備え、前記電話機本体および前記利用者操作部の前記取付部に対する取付位置が変更自在とされていることを特徴とする電話機。
【請求項２】
前記利用者操作部には、電話利用を許容する媒体をセット可能であることを特徴とする請求項１に記載の電話機。
【請求項３】
前記電話機本体および前記利用者操作部の前記取付部に対する取付角度が変更自在とされていることを特徴とする請求項１又は２に記載の電話機。
【請求項４】
前記電話機本体と前記利用者操作部とを接続するケーブルを更に備え、前記取付部には、前記ケーブルを収容するための空間部が形成されていることを特徴とする請求項１〜３の何れかに記載の電話機。
【請求項５】
インターネットに接続可能であることを特徴とする請求項１〜４の何れかに記載の電話機。
【発明の詳細な説明】
【０００１】
【発明の属する技術分野】
本発明は、家庭用電話機や、街頭、店頭、駅等に設置される公衆電話機等の電話機に関する。
【０００２】
【従来の技術】
近年では、携帯電話が若年層からシニア層まで幅広く普及しているが、公衆電話を始めとする固定電話に対するニーズは依然として根強いものがある。一般に、家庭用、公衆電話用の電話機は、送受話器を備えた一体の筐体として構成されている。そして、この筐体には、通話のための各種回路等が内蔵されると共に、電話番号等を入力するためのダイヤル、操作キー等を含む入力部や、相手先の電話番号やテレフォンカードの残度数といった各種情報を表示させる表示部が設けられている。
【０００３】
【発明が解決しようとする課題】
しかしながら、従来の電話機には、次のような問題点が存在していた。すなわち、従来の電話機では、利用者が視認する表示部や、利用者が直接手で触れる入力部が一体の筐体に配置されている。このため、電話機を利用者の使いやすい位置に設置しようとすると、設置環境（設置箇所、設置高さ等）に制約を受けてしまうことが多い。その一方で、電話機の利用主体は、若年層からシニア層まで極めて広範にわたり、利用者の体格、特に背丈には大きな差が存在している。また、近年では、いわゆるバリアフリー化の促進という要請も高まっている。従って、利用者側の要請に応えて、電話機の使い勝手を向上させることは、特に公衆電話において極めて重要となる。
【０００４】
また、一般に、入力部と表示部とは、例えば特開平８−３０７４９９号公報に記載された電話機のように、比較的近い位置に配置される。このように入力部と表示部とが互いに接近していると、利用者によっては、使い勝手が悪い印象を覚えることがある。この場合、上記公報に記載された電話機では、操作性を改善すべく、表示部および入力部が配置される筐体前面の上部を傾斜させている。しかしながら、このような構成を採用しても、電話機の使い勝手が飛躍的に改善されるというわけではなく、却って、筐体内部における部品の配置に制約を受けるという問題が生じてしまう。
【０００５】
そこで、本発明は、設置環境の制約が少なく、かつ、利用者にとって使い易い電話機の提供を目的とする。
【０００６】
【課題を解決するための手段】
請求項１に記載の本発明による電話機は、通話機能を有する電話機において、通話等に関する各種情報を表示させる表示部を有する電話機本体と、電話機本体と別体化されており、電話番号等の各種情報を入力するための入力部を有する利用者操作部と、電話機本体と利用者操作部とを取り付ける取付部とを備え、電話機本体および利用者操作部の取付部に対する取付位置が変更自在とされていることを特徴とする。
【０００７】
この電話機では、電話機本体と利用者操作部とが別体化されている。これら電話機本体と利用者操作部とは、ポール等を含む取付部に対して、それぞれ個別に取り付けられる。また、通話等に関する各種情報を表示させる表示部は、電話機本体側に設けられている。そして、電話番号等の各種情報を入力するための入力部は、利用者操作部側に設けられている。従って、この電話機を設置する際、設置箇所や設置高さといった設置環境からの制約が少なくなり、電話機本体（表示部）および利用者操作部（入力部）のそれぞれを様々な利用者にとって使い易くなるように配置することが可能となる。
【０００８】
また、この電話機では、電話機本体および利用者操作部の取付部に対する取付位置が変更自在とされている。従って、利用者のニーズに合わせて取付位置を変更することができる。更に、利用者自ら、利用者操作部等の取付位置を使い易い位置に調節することも可能となる。この結果、この電話機によれば、利用者の使い勝手を大幅に向上させることができる。そして、電話機本体と利用者操作部とを別体化することにより、それぞれのユニットにおけるメインテナンス性をも向上させることができる。
【０００９】
また、利用者操作部には、電話利用を許容する媒体をセット可能であると好ましい。
【００１０】
上述したように、この電話機では、利用者操作部を様々な利用者にとって使い易くなるように配置、又は、位置調整することが可能である。従って、このような構成を採用すれば、磁気カードやＩＣカード、更に、硬貨や貨幣といった電話利用を許容する媒体をセット（投入）する際の操作性をより向上させることができる。
【００１１】
更に、電話機本体および利用者操作部の取付部に対する取付角度が変更自在とされていると好ましい。
【００１２】
このような構成を採用すれば、電話機本体および利用者操作部の位置調整の幅を大きくすることができる。従って、身長等の体格差のある利用者それぞれに対して、きめ細かに対応可能となり、利用者の使い勝手をより一層向上させることが可能となる。
【００１３】
また、電話機本体と利用者操作部とを接続するケーブルを更に備え、取付部には、ケーブルを収容するための空間部が形成されていると好ましい。
【００１４】
このような構成を採用すれば、電話機の美観を損なうことなく、電話機本体と利用者操作部とを接続することができる。また、利用者が誤って、電話機本体と利用者操作部との接続を断ってしまうといったようなトラブルを確実に防止することができる。
【００１５】
更に、上記各電話機は、インターネットに接続可能に構成されていると好ましい。
【００１６】
このような構成を採用すれば、電話機の利便性をより一層向上させることができる。
【００１７】
【発明の実施の形態】
以下、図面と共に本発明による電話機の好適な実施形態について詳細に説明する。
【００１８】
図１は、本発明による電話機を示す正面拡大図であり、図２は、本発明による電話機を示す側面図である。これらの図面に示す電話機１は、街頭、店頭、駅等に設置する公衆電話として用いると好適なものである。電話機１は、電話利用を許容する媒体としてＩＣカード１０を利用する、いわゆるＩＣカード公衆電話機として構成されており、電話機本体２、利用者操作部４、及び、取付部５を備えている。
【００１９】
電話機本体２は、図１および図２に示すように、比較的薄形の略直方体状を呈する筐体２０を有する。筐体２０の内部には、図３に示すように、ＣＰＵ２１，ＲＯＭ２２、ＲＡＭ２３、コーディック回路２４、及び、回線インターフェース２６が収容されている。コーディック回路２４および回線インターフェース２６は、ＣＰＵ２１に接続されている。また、コーディック回路２４には、送受話器２５が接続されている。そして、回線インターフェース２６は、ＩＳＤＮ方式等の公衆電話回線ＴＬに接続される。これにより、電話機１を利用すれば、公衆電話回線ＴＬを介してインターネットＩＮに接続することが可能となる。従って、この電話機１は、高い利便性を有する。
【００２０】
また、電話機本体２には、表示部２７が設けられている。すなわち、筐体２０の正面部には、液晶等からなる表示部２７が配置されている。表示部２７は、筐体２０内の表示制御回路２８を介してＣＰＵ２１と接続されている。ＣＰＵ２１は、表示制御回路２８を介して、電話番号、操作ガイダンス、ＩＣカード１０の残度数といった通話等に関する各種情報を表示部２７に表示させる。更に、筐体２０の内部には、電源２９が配置されている。筐体２０内の各種機器、回路には、電源２９から電力が供給される。
【００２１】
一方、利用者操作部４は、図１および図２に示すように、電話機本体２と完全に別体化されている。利用者操作部４は、筐体４０を有し、この筐体４０の上面には、ダイアルキー、各種操作キー、つまみ等からなる入力部４１が備えられている。電話機１の利用者は、この入力部４１を操作して、電話番号等を入力する。また、利用者操作部４の筐体４０の上面には、ＩＣカード１０をセットするためのカードポケット４２が備えられている。カードポケット４２には、図３に示すように、ＩＣカード１０のアンテナ１１との間で情報の送受信を可能とするアンテナ４４が設けられている。アンテナ４４は、利用者操作部４の筐体４０内に配置された送受信部４５に接続されている。このように、電話機本体２と利用者操作部４とを別体化することにより、それぞれのユニットにおけるメインテナンス性を向上させることができる。
【００２２】
上述した電話機本体２および利用者操作部４は、取付部５に対して、それぞれ個別に取り付けられる。取付部５は、図２に示すように、電話機本体２と利用者操作部４とを固定する筒状（中空）のポール５１と、ポール５１を略垂直に支持する台座部５２とからなる。台座部５２には、複数のキャスタ５３が備えられている。これにより、電話機１全体を容易に移動させることが可能となる。また、電話機１には、オプションとして、操作ガイダンス等の音声を発生させるためのスピーカ６を備えることができる。このスピーカ６も、図１および図２に示すように、取付部５のポール５１に対して、例えば電話機本体２の上方に位置するように取り付けられる。
【００２３】
次に、電話機１を設置する手順について説明する。この場合、電話機本体２およびスピーカ６は、図２および図４に示すようなブラケット５５を介してポール５１に取り付けられる。ブラケット５５は、いずれも左右２分割のブラケット半部からなる。各ブラケット半部は、所定箇所に設置された取付部５のポール５１を両側から挟み付けるように装着され、止めねじ５６によってポール５１に固定（締結）される。そして、各ブラケット５５の先端部は、止めねじ５７を介して、電話機本体２の筐体２０の裏面に設けられた連結部（図示省略）、又は、スピーカ６の裏面に設けられた連結部（図示省略）に対して連結される。
【００２４】
また、利用者操作部４は、上述したブラケット５５および中空のアーム部材５８を介して、電話機本体２よりも下方に位置するように、ポール５１に対して取り付けられる。この場合、上述したように、ブラケット５５を構成する各ブラケット半部は、ポール５１を両側から挟み付けるように装着され、止めねじ５６によってポール５１に固定（締結）される。各ブラケット５５の先端部と、アーム部材５８とは、止めねじ５７を介して互いに連結される。そして、アーム部材５８の先端部は、止めねじ５９を介して、利用者操作部４の筐体４０の裏面に設けられた連結部（図示省略）に対して連結される。
【００２５】
このように、電話機１では、表示部２７を有する電話機本体２と、入力部４１を有する利用者操作部４とが別体化されており、電話機本体２と利用者操作部４とは、ポール５１を含む取付部５に対して、それぞれ個別かつ移動自在に取り付けられる。従って、電話機１を設置する際、設置箇所や設置高さといった設置環境からの制約が少なくなり、電話機本体２（表示部２７）および利用者操作部４（入力部４１）、更には、スピーカ６のそれぞれを、様々な利用者にとって使い易くなるように配置することが可能となる。
【００２６】
また、電話機１では、各止めねじ５６を緩めることにより、電話機本体２および利用者操作部４、更には、スピーカ６の取付部５に対する取付位置を自在に変更することができる。従って、利用者のニーズに合わせて、これらの取付位置を変更することも可能である。更に、利用者自ら、利用者操作部４等の取付位置を使い易い位置に調節することも可能となる。このように、電話機１によれば、利用者の使い勝手を大幅に向上させることができる。
【００２７】
また、電話機１では、各止めねじ５７を緩めることにより、電話機本体２および利用者操作部４、更には、スピーカ６の取付部５に対する取付角度を自在に変更することができる。これにより、電話機本体２、利用者操作部４、および、スピーカ６の位置調整の幅を大きくすることができる。この結果、電話機１では、身長等の体格差のある利用者それぞれに対して、きめ細かに対応可能となり、利用者の使い勝手をより一層向上させることが可能となる。
【００２８】
更に、利用者操作部４には、電話利用を許容する媒体としてのＩＣカード１０をセットするためのカードポケット４２が設けられているが、上述したように、電話機１では、利用者操作部４を様々な利用者にとって使い易くなるように配置、又は、位置調整することが可能である。従って、電話機１では、電話利用を許容する媒体であるＩＣカード１０をセット（投入）する際の操作性をも向上させることができる。なお、カードポケット４２等は、磁気カード用に構成してもよい。また、利用者操作部４に対して、電話利用を許容する媒体としての硬貨や貨幣をセット（投入）するための料金投入部を設けてもよい。
【００２９】
さて、上述したようにして取付部５に対して取り付けられる電話機本体２と利用者操作部４とは、各種ケーブルを介して互いに接続される。つまり、利用者操作部４の入力部４１や送受信部４５等は、信号ケーブルＣＳを介して電話機本体２側のＣＰＵ２１と接続されると共に、電力ケーブルＣＥを介して電話機本体２側の電源２９と接続される（図３参照）。同様に、スピーカ６は、信号ケーブルＣＳを介して電話機本体２側のコーディック回路２４と接続されると共に、電力ケーブルＣＥを介して電話機本体２側の電源２９と接続される（図３参照）。
【００３０】
このため、取付部５を構成する筒状のポール５１には、図２に示すように、予め想定されている電話機本体２およびスピーカ６の取付位置（ブラケット５５の取付位置）近傍に孔部５１ｂ，５１ｃが形成されている。更に、ポール５１の背面側には、電話機本体２のおおよその取付位置と、利用者操作部４のおおよその取付位置との間に位置するように、長尺のスリット５１ｄが形成されている。また、上述したように、利用者操作部４を取り付けるためのアーム部材５８は、中空に形成されており、このアーム部材５８には、ケーブルＣＳ，ＣＥを挿通させるための孔部（図示省略）が形成されている。
【００３１】
この場合、電話機本体２と利用者操作部４を接続するケーブルＣＳ，ＣＥは、図５に示すように、まず、利用者操作部４側に接続される。利用者操作部４からのケーブルＣＳ，ＣＥは、アーム部材５８（図５では図示省略）に通された後、ポール５１の側部を経て背面側に引き廻される。更に、ケーブルＣＳ，ＣＥは、スリット５１ｄおよび孔部５１ｂを介して電話機本体２側に導かれ、電話機本体２に接続される。そして、ケーブルＣＳ，ＣＥの余長分は、図６に示すように、畳まれた（束ねられた）状態でポール５１の空間部５１ａ内に収容される。
【００３２】
一方、電話機本体２とスピーカ６とを接続するケーブルＣＳ，ＣＥは、スピーカ６等の装着時に所定のタイミングで、孔部５１ｂ、５１ｃを介してポール５１の空間部５１ａ内に収容される。もちろん、電話機本体２とスピーカ６とを接続するケーブルＣＳ，ＣＥをポール５１の空間部５１ａに収容するために、電話機本体２のおおよその取付位置と、スピーカ６のおおよその取付位置との間に、スリット５１ｄのような開口部を形成してもよい。
【００３３】
このように、各種ケーブルＣＳ，ＣＥをポール５１（取付部５）に設けられた空間部５１ａおよびアーム部材５８の内部に収容すれば、電話機１の美観を損なうことなく、電話機本体２と利用者操作部４とを、また、電話機本体２とスピーカ６とを接続することが可能となる。更に、このような構成を採用すれば、利用者が誤って、電話機本体２と利用者操作部４等との接続を断ってしまうといったようなトラブルを確実に防止することができる。また、ポール５１にスリット５１ｄを形成しておき、スリット５１ｄを介してケーブルＣＳ、ＣＥをポール５１の空間部５１ａ内に収容することにより、電話機本体２および利用者操作部４の位置調整の幅を大きくすることが可能となると共に、電話機１のメインテナンス性を向上させることができる。
【００３４】
なお、取付部５としては、上述したようなポール５１と台座部５２との組み合わせのほか、壁掛型、卓上型、卓上ポール型、天井吊下型、天井床固定型、手すり取付型等、各種構成を採用可能である。また、上述した電話機１は、公衆電話として用いられるものとして説明したが、これに限られるものではない。すなわち、利用者操作部４から、ＩＣカード１０用のカードポケット４２や送受信部４５等を省略すると共に、取付部５として、コンパクトなものを採用することにより、電話機１を家庭用の電話機として利用することも可能となる。更に、取付部５に装着するオプションとしては、スピーカ以外の他の機器を採用可能である。
【００３５】
【発明の効果】
本発明による電話機は、通話等に関する各種情報を表示させる表示部を有する電話機本体と、電話機本体と別体化されており、電話番号等の各種情報を入力するための入力部を有する利用者操作部と、電話機本体と利用者操作部とを取り付ける取付部とを備え、電話機本体および利用者操作部の取付部に対する取付位置が変更自在とされていることを特徴とする。これにより、設置環境の制約が少なく、かつ、利用者にとって使い易い電話機の実現が可能となる。
【図面の簡単な説明】
【図１】本発明による電話機を示す正面拡大図である。
【図２】本発明による電話機を示す側面図である。
【図３】本発明による電話機のブロック構成図である。
【図４】本発明による電話機の背面を示す要部拡大図である。
【図５】電話機本体と利用者操作部とを接続するケーブルの取り廻し状態を説明するための断面図である。
【図６】電話機本体と利用者操作部とを接続するケーブルの取り廻し状態を説明するための断面図である。
【符号の説明】
１…電話機、２…電話機本体、４…利用者操作部、５…取付部、６…スピーカ、１０…ＩＣカード、１１…アンテナ、２０…筐体、２４…コーディック回路、２５…送受話器、２６…回線インターフェース、２７…表示部、２８…表示制御回路、２９…電源、４０…筐体、４１…入力部、４２…カードポケット、４４…アンテナ、４５…送受信部、５１…ポール、５１ａ…空間部、５１ｂ，５１ｃ…孔部、５１ｄ…スリット、５２…台座部、５３…キャスタ、５５…ブラケット、５６，５７…止めねじ、５８…アーム部材、ＣＥ…電力ケーブル、ＣＳ…信号ケーブル、ＩＮ…インターネット、ＴＬ…公衆電話回線。
【図１】
0003837043.tif 000002
【図２】
0003837043.tif 000003
【図３】
0003837043.tif 000004
【図４】
0003837043.tif 000005
【図５】
0003837043.tif 000006
【図６】
0003837043.tif 000007